(57)【要約】【課題】高い利便性を有する体温調整装置を提供する。【解決手段】体温調節装置１は、冷媒が循環する冷媒回路を有し、熱搬送媒体の温度を調整する温度調整手段１０と、熱搬送媒体を人体の股付根部、脇下部、首前部、額部のうち少なくとも１箇所を含む冷房好適部位に搬送する熱搬送手段２０と、温度を設定する機能を有する操作部と、操作部にて設定された温度に基いて温度調整手段１０及び熱搬送手段２０の動作を制御する制御部と、を備える。温度調整手段１０は、熱交換器１１，１２、圧縮機１３、四方弁１４、減圧機１５等を備える。【選択図】図１
2018119256.tif 000002
【特許請求の範囲】
【請求項１】
冷媒が循環する冷媒回路を有し、熱搬送媒体の温度を調整する温度調整手段と、
前記熱搬送媒体を人体の股付根部、脇下部、首前部、額部のうち少なくとも１箇所を含む冷房好適部位に搬送する熱搬送手段と、
温度を設定する機能を有する操作部と、
前記操作部にて設定された温度に基いて前記温度調整手段及び前記熱搬送手段の動作を制御する制御部と、
を備える体温調整装置。
【請求項２】
前記温度調整手段の冷媒回路は、
前記冷媒と空気との熱交換を行う第１の熱交換器と、
１次側流路及び２次側流路を有し、前記１次側流路を流れる前記冷媒と、前記２次側流路を流れる前記熱搬送媒体との熱交換を行う第２の熱交換器と、
前記冷媒を吸込んで吐出する機能を有し、前記第１の熱交換器の一端側と前記第２の熱交換器の一端側との間に接続された圧縮機と、
前記第１の熱交換器の他端側と前記第２の熱交換器の他端側との間に接続され、冷媒を減圧する減圧機と、
前記熱搬送媒体を加熱する加熱位置と前記熱搬送媒体を冷却する冷却位置の何れかに切換えられる手段であって、前記加熱位置では前記圧縮機から吐出された冷媒を前記第２の熱交換器から前記減圧機を経由して前記第１の熱交換器に向けて流通させ、前記冷却位置では前記圧縮機から吐出された冷媒を前記第１の熱交換器から前記減圧機を経由して前記第２の熱交換器に向けて流通させる切換手段と、
を備え、
前記制御部は、前記熱搬送媒体の加熱を行うときに前記切換手段を前記加熱位置に切換え、前記熱搬送媒体の冷却を行うときに前記切換手段を前記冷却位置に切換える請求項１に記載の体温調整装置。
【請求項３】
前記加熱位置で前記冷媒が前記第２の熱交換器の前記１次側流路を流れる方向は、前記冷却位置で前記冷媒が前記第２の熱交換器の前記１次側流路を流れる方向に対して、反対方向である請求項２に記載の体温調整装置。
【請求項４】
前記加熱位置で前記冷媒が前記第２の熱交換器の前記１次側流路を流れる方向は、前記熱搬送媒体が前記第２の熱交換器の前記２次側流路を流れる方向と同方向であり、
前記冷却位置で前記冷媒が前記第２の熱交換器の前記１次側流路を流れる方向は、前記熱搬送媒体が前記第２の熱交換器の前記２次側流路を流れる方向に対して、反対方向である請求項２または３に記載の体温調整装置。
【請求項５】
人体の表面温度と内部体温のうち少なくとも一方の温度を検出する温度センサを備え、
前記制御部は、前記温度センサの検出結果に基いて前記圧縮機及び前記減圧機を制御することにより、前記第２の熱交換器の作動状態を制御する請求項２から４のうち何れか１項に記載の体温調整装置。
【請求項６】
人により持ち運び可能に構成され、前記温度調整手段と、前記熱搬送手段の少なくとも一部と、前記制御部とが収納される可搬手段を備えた請求項１から５のうち何れか１項に記載の体温調整装置。
【発明の詳細な説明】
【技術分野】
【０００１】
本発明は、人体の体温を調整する体温調整装置に関する。
【背景技術】
【０００２】
従来技術として、例えば特許文献１に記載されているような身体冷却装置が知られている。この身体冷却装置は、冷媒が循環するホースを人体に撒きつけて装着し、人体の局部を冷却するものである。冷却対象となる局部としては、人体のうち冷え易い部位が選択されており、冷却効率が高くなるように構成されている。
【先行技術文献】
【特許文献】
【０００３】
【特許文献１】登録実用新案第３１７１０６６号公報
【特許文献２】特開２０１４−７３２００号公報
【特許文献３】特許第４３２９１１８号公報
【発明の概要】
【発明が解決しようとする課題】
【０００４】
しかしながら、特許文献１に記載の従来技術では、装置の機能が人体の冷房に限定されており、冬季、寒冷地等の低温環境における人体の暖房までは考慮されていない。しかも、人体においては、冷房に適した部位と、暖房に適した部位とが異なる。このため、従来技術の構成をそのまま暖房に適用しても、人体を効率よく温めるのは困難であり、同一の装置で人体の冷房と暖房を両立させるのが難しいという問題がある。
【０００５】
本発明は、高い利便性を有する体温調整装置を提供することを目的とする。
【課題を解決するための手段】
【０００６】
本発明に係る体温調整装置は、冷媒が循環する冷媒回路を有し、熱搬送媒体の温度を調整する温度調整手段と、熱搬送媒体を人体の股付根部、脇下部、首前部、額部のうち少なくとも１箇所を含む冷房好適部位に搬送する熱搬送手段と、温度を設定する機能を有する操作部と、操作部にて設定された温度に基いて温度調整手段及び熱搬送手段の動作を制御する制御部と、を備えるものである。
【発明の効果】
【０００７】
本発明によれば、高い利便性を有する体温調整装置を実現することができる。
【図面の簡単な説明】
【０００８】
【図１】本発明の実施の形態１による体温調節装置を概略的に示す構成図である。
【図２】熱搬送手段のチューブ固定具を示す正面図である。
【図３】図２に示すチューブ固定具の背面図である。
【図４】本発明の実施の形態１による体温調節装置の制御系統を示す構成図である。
【発明を実施するための形態】
【０００９】
以下、図面を参照して、本発明の実施の形態について説明する。なお、本明細書で使用する各図においては、共通する要素に同一の符号を付し、重複する説明を省略するものとする。また、本発明は、以下の実施の形態に限定されるものではなく、本発明の主旨を逸脱しない範囲で種々に変形することが可能である。
【００１０】
実施の形態１．
まず、図１から図４を参照して、本発明の実施の形態１について説明する。図１は、本発明の実施の形態１による体温調節装置を概略的に示す構成図である。この図に示すように、本実施の形態による体温調節装置１は、温度調整手段１０と、後述の熱搬送手段２０とを備えている。温度調整手段１０は、熱搬送手段２０を流れる熱搬送媒体の温度を調整するものである。
【００１１】
（温度調整手段の構成）
温度調整手段１０は、第１の熱交換器１１、第２の熱交換器１２、圧縮機１３、四方弁１４及び減圧機１５からなる複数の機器と、該各機器を環状に接続する複数の配管１６ａ，１６ｂ，１６ｃ，１６ｄ，１６ｅ，１６ｆとを備えている。これらの機器及び配管１６ａ〜１６ｆは、冷媒が循環する冷媒回路を構成している。また、温度調整手段１０は、第１の熱交換器１１に送風して吸熱及び放熱を促すファン１７を備えている。
【００１２】
第１の熱交換器１１は、温度調整手段１０を流れる冷媒と空気との熱交換を行うものである。熱交換器１１によれば、冷媒から空気中に放熱したり、空気から冷媒に吸熱することができる。第２の熱交換器１２は、図示しない１次側流路及び２次側流路を有し、１次側流路を流れる前記冷媒と、２次側流路を流れる熱搬送媒体との熱交換を行うものである。熱交換器１２によれば、第１の熱交換器１１を流れる冷媒を用いて、熱搬送媒体の加熱及び冷却を行うことができる。
【００１３】
圧縮機１３は、冷媒を吸込んで吐出することにより、冷媒回路に冷媒を循環させるものである。圧縮機１３の吸込側は、配管１６ｅを介して四方弁１４の１つのポートに接続されている。圧縮機１３の吐出側は、配管１６ｆを介して四方弁１４の他の１つのポートに接続されている。圧縮機１３は、配管１６ａ，１６ｄ，１６ｅ，１６ｆを介して熱交換器１１の一端側と熱交換器１２の１次側流路の一端側との間に接続されている。また、熱交換器１１の他端側と、熱交換器１２の１次側流路の他端側との間には、冷媒を減圧する減圧機１５が配管１６ｂ，１６ｃを介して接続されている。
【００１４】
ここで、圧縮機１３の吸込側の接続先は、四方弁１４の切換位置に応じて熱交換器１１，１２のうちの一方に切換えられる。また、圧縮機１３の吐出側の接続先は、四方弁１４の切換位置に応じて、熱交換器１１，１２のうちの他方に切換えられる。そして、これらの接続先は、四方弁１４の切換位置に応じて相互に入れ替わる。これにより、四方弁１４は、冷媒回路を循環する冷媒の循環方向を切換える（反転させる）ように構成されている。
【００１５】
四方弁１４は、本実施の形態の切換手段に相当するもので、第１から第４のポートを有する電磁弁等により構成されている。これらのポートのうち、第１のポートは、配管１６ａを介して熱交換器１１の一端側に接続されている。第２のポートは、配管１６ｄを介して熱交換器１２の１次側流路の一端側に接続されている。第３のポートは、配管１６ｅを介して圧縮機１３の吸込側に接続され、第４のポートは、配管１６ｆを介して圧縮機１３の吐出側に接続されている。
【００１６】
四方弁１４は、図１中に実線で示す暖房位置と、点線で示す冷房位置とからなる２つの切換位置の何れかに切換えられる。暖房位置では、圧縮機１３の吸込側が四方弁１４及び配管１６ａ，１６ｅを介して熱交換器１１の一端側に接続される。このとき、圧縮機１３の吐出側は、四方弁１４及び配管１６ｄ，１６ｆを介して熱交換器１２の１次側流路の一端側に接続される。この結果、圧縮機１３が作動すると、冷媒は、図１中の矢印Ａ方向に循環し、圧縮機１３から吐出された冷媒が熱交換器１２から減圧機１５を経由して熱交換器１１に向けて流通する。このとき、熱交換器１２では、冷媒から熱搬送媒体への放熱、即ち、熱搬送媒体の加熱が行われる。
【００１７】
これに対し、冷房位置では、圧縮機１３の吸込側が四方弁１４及び配管１６ｄ，１６ｅを介して熱交換器１２の１次側流路の一端側に接続される。このとき、圧縮機１３の吐出側は、四方弁１４及び配管１６ａ，１６ｆを介して熱交換器１１の一端側に接続される。この結果、圧縮機１３が作動すると、冷媒は、図１中の矢印Ｂ方向に循環し、圧縮機１３から吐出された冷媒が熱交換器１１から減圧機１５を経由して熱交換器１２に向けて流通する。このとき、熱交換器１２では、冷媒による熱搬送媒体からの吸熱、即ち、熱搬送媒体の冷却が行われる。このように、温度調整手段１０は、冷媒の循環方向を切換えることにより、当該循環方向に応じて熱搬送媒体を加熱及び冷却することできる。
【００１８】
（熱搬送手段の構成）
次に、図１から図３を参照して、熱搬送手段２０について説明する。図２は、熱搬送手段のチューブ固定具を示す正面図であり、図３はチューブ固定具の背面図である。熱搬送手段２０は、人体と温度調整手段１０との間で熱を搬送するもので、図１から図３に示すように、熱搬送チューブ２１，２２、熱搬送ポンプ２３、チューブ固定具２４、暖房用搬送路２５、冷房用搬送路２６、搬送路切換弁２７ａ，２７ｂ、チューブ接続口２８，２９等を備えている。
【００１９】
熱搬送チューブ２１，２２は、熱交換器１２とチューブ固定具２４との間に熱搬送媒体を循環させるもので、可撓性のチューブ等により形成されている。熱搬送チューブ２１，２２の材料としては、例えばビニール、フッ素樹脂等を用いるのが好ましい。また、熱搬送チューブ２１，２２を金属材料により形成する場合には、撓み変形可能な蛇腹形状の金属チューブ等を用いるのが好ましい。また、熱搬送媒体としては、水等が用いられる。
【００２０】
熱搬送チューブ２１の一端側は、図１に示すように、熱交換器１２の２次側流路の一端側に接続されている。熱搬送チューブ２１の他端側は、図３に示すチューブ接続口２９に着脱可能に接続される。また、熱搬送チューブ２２の一端側は、熱交換器１２の２次側流路の他端側に接続されている。熱搬送チューブ２２の他端側は、図３に示すチューブ接続口２８に着脱可能に接続される。熱搬送ポンプ２３は、熱交換器１２から暖房用搬送路２５及び冷房用搬送路２６に向けて熱搬送媒体を搬送するもので、例えば熱搬送チューブ２１または熱搬送チューブ２２の途中に接続されている。
【００２１】
チューブ固定具２４は、人体の少なくとも一部に装着される装着部であり、熱搬送媒体を用いて人体の暖房及び冷房を行う部位である。チューブ固定具２４は、例えばジャケット、ジャンパー、ズボン、スカート等のように、衣類と類似した形状を有している。なお、図１から図３では、ジャケット形のチューブ固定具２４を例示している。チューブ固定具２４には、暖房用搬送路２５、冷房用搬送路２６、搬送路切換弁２７ａ，２７ｂ及びチューブ接続口２８，２９が取付けられている。
【００２２】
暖房用搬送路２５及び冷房用搬送路２６は、図２及び図３に示すように、人体の特定部位に対して熱搬送媒体を搬送するもので、例えば可撓性を有する小径なチューブにより構成され、チューブ固定具２４の内部に配置されている。なお、これらの搬送路２５，２６と人体との間には、当該搬送路２５，２６が肌に直接触れないように布等を介在させるのが望ましい。
【００２３】
暖房用搬送路２５は、人体の暖房を行うときに、温度調整手段１０により加熱された熱搬送媒体を暖房好適部位に搬送するものである。暖房好適部位とは、人体のうち暖房に適した部位を意味するもので、具体例を挙げると、人体の腰部、腹部、手首部、足首部、首後部のうち少なくとも１箇所に相当している。暖房時には、暖房好適部位を温めることにより、体全体を効率よく温めたり、加温される感覚を効率よく感じさせることができる。
【００２４】
冷房用搬送路２６は、人体の冷房を行うときに、温度調整手段１０により冷却された熱搬送媒体を冷房好適部位に搬送するものである。冷房好適部位とは、人体のうち冷房に適した部位を意味するもので、具体例を挙げると、人体の股付根部、脇下部、首前部、額部のうち少なくとも１箇所に相当している。冷房時には、冷房好適部位を温めることにより、体全体を効率よく冷却したり、冷やされる感覚を効率よく感じさせることができる。
【００２５】
より具体的な例を挙げると、暖房用搬送路２５は、人体の腰からお腹に伸張し、更に、左胸を通って首に到達している。また、暖房用搬送路２５は、首から首の後ろを回って右胸を通過し、更に、お腹を通って腰に戻るように形成されている。一方、冷房用搬送路２６は、暖房用搬送路２５と異なる経路を有している。即ち、冷房用搬送路２６は、腰から背中に伸張し、更に、背中にて左脇下を通ってから首の前側の左襟に到達している。また、冷房用搬送路２６は、左襟から戻って左脇を再び通り、背中に戻った後に、右脇を通って首の前側の右襟に到達し、更に、背中を通ってから腰に戻るように形成されている。
【００２６】
搬送路切換弁２７ａ，２７ｂは、熱搬送媒体の流路を暖房用搬送路２５と冷房用搬送路２６の何れかに切換えるもので、本実施の形態の搬送路切換手段に相当している。搬送路切換弁２７ａ，２７ｂは、図３に示すように、三方弁等により構成され、例えばチューブ固定具２４の背面下部に取付けられている。搬送路切換弁２７ａは、１つの流入ポートと２つの流出ポートとを有している。搬送路切換弁２７ａの流入ポートには、熱搬送チューブ２２の着脱を容易に行うためのチューブ接続口２８が取付けられている。チューブ接続口２８は、熱搬送チューブ２２と着脱可能に接続される。搬送路切換弁２７ａの２つの流出ポートには、それぞれ暖房用搬送路２５、冷房用搬送路２６が接続されている。
【００２７】
搬送路切換弁２７ｂは、２つの流入ポートと１つの流出ポートとを有している。搬送路切換弁２７ｂの２つの流入ポートには、それぞれ暖房用搬送路２５、冷房用搬送路２６が接続されている。即ち、暖房用搬送路２５及び冷房用搬送路２６は、搬送路切換弁２７ａと搬送路切換弁２７ｂとの間に互いに並列に接続されている。一方、搬送路切換弁２７ｂの流出ポートには、チューブ接続口２８と同様に、チューブ接続口２９が取付けられている。チューブ接続口２９は、熱搬送チューブ２１と着脱可能に接続される。チューブ接続口２８，２９は、例えば腰の背面部の中央に配置されている。
【００２８】
（制御系統）
次に、図４を参照して、体温調節装置１の制御系統について説明する。図４は、本発明の実施の形態１による体温調節装置の制御系統を示す構成図である。体温調節装置１は、制御部３０を備えている。制御部３０は、主演算部３１、情報処理部３２及び電源部３３を包括する回路部３４と、操作部３５と、温度センサ３６とを備えている。温度センサ３６は、人体の表面温度と内部体温のうち少なくとも一方の温度を検出するもので、情報処理部３２に接続されている。電源部３３には、例えばバッテリ、燃料電池等により構成された蓄電部３７と、前述した圧縮機１３、四方弁１４、減圧機１５及び熱搬送ポンプ２３とが接続されている。
【００２９】
操作部３５は、ユーザにより操作されるもので、体温調節装置１により暖房と冷房のどちらを行うかを選択するための冷暖房切換スイッチ（図示せず）等を備えている。操作部３５は、温度調整手段１０の動作として熱搬送媒体の加熱と冷却のうち何れか一方の動作を選択する動作選択手段に相当している。制御部３０は、操作部３５により選択された動作に基いて四方弁１４を切換えることで、温度調整手段１０における冷媒の循環方向を切換える。また、回路部３４、操作部３５及び蓄電部３７は、後述のケーシング４０（図１参照）内に収納されている。温度センサ３６は、チューブ固定具２４の内部に配置され、チューブ固定具２４内の温度を人体の表面温度または内部体温度として検出する。
【００３０】
（体温調節装置の動作）
次に、体温調節装置１の動作について説明する。ユーザは、まず、チューブ固定具２４を体に装着し、温度調整手段１０側の熱搬送チューブ２１，２２と、熱搬送手段２０側のチューブ接続口２８，２９とを接続する。そして、操作部３５にて電源を入れ、制御部３０を起動する。続いて、ユーザは、操作部３５の冷暖房切換スイッチを操作することにより、暖房と冷房の何れを行うかを選択する。これにより、制御部３０は、冷暖房切換スイッチにより選択された動作に応じて四方弁１４を暖房位置と冷房位置の何れかに切換える。また、ユーザは、冷暖房切換スイッチの選択内容に合わせて搬送路切換弁２７ａ，２７ｂの動作を暖房または冷房に切換える。
【００３１】
なお、本実施の形態では、搬送路切換弁２７ａ，２７ｂの動作を手動で切換える場合を例示した。しかし、本発明では、制御部３０が冷暖房切換スイッチの操作に応じて四方弁１４の切換位置及び搬送路切換弁２７ａ，２７ｂの動作を自動的に切換えるように構成してもよい。この構成によれば、ユーザは、操作部３５により暖房と冷房の何れかを選択するだけで、四方弁１４と搬送路切換弁２７ａ，２７ｂの両方を自動的に切換えることができる。従って、ユーザの利便性を更に向上させることができる。
【００３２】
次に、ユーザは、熱搬送ポンプ２３を動作させ、水等の熱搬送媒体を熱搬送チューブ２１，２２に循環させる。熱搬送ポンプ２３は、熱搬送媒体を吸込む流入口と、水の吸込時に熱搬送チューブ２１，２２に残存する空気を排出する排出口とを備えている。制御部３０は、所定量の熱搬送媒体を熱搬送チューブ２１，２２に流し込んだ後に、目標温度を設定し、温度調整手段１０の動作を開始させる。この結果、操作部３５から情報処理部３２に情報が送信され、圧縮機１３、四方弁１４、減圧機１５及び熱搬送ポンプ２３が始動する。
【００３３】
このとき、操作部３５は、暖房と冷房のうちユーザが選択した動作に関する信号を出力する。この信号は、情報処理部３２、主演算部３１にて処理され、四方弁１４に通電される。四方弁１４は、暖房運転時には減圧機１５から圧縮機１３に冷媒が流れ、冷房運転時には圧縮機１３から減圧機１５に冷媒が流れるように、冷媒の流れを制御する。
【００３４】
詳しく述べると、暖房運転時には、圧縮機１３から吐出された高温及び高圧の冷媒が四方弁１４を経由して第２の熱交換器１２の１次側に流入する。この冷媒は、熱交換器１２の１次側を流通しながら２次側の熱搬送媒体に放熱し、当該熱搬送媒体を加熱する。そして、熱交換器１２の１次側から流出した冷媒は、減圧機１５にて減圧された後に、第１の熱交換器１１に流入し、当該熱交換器１１にて空気中の熱を吸収する。続いて、第１の熱交換器１１から流出した冷媒は、四方弁１４を経由して圧縮機１３の吸込側に還流する。
【００３５】
また、冷房運転時には、圧縮機１３から吐出された高温及び高圧の冷媒が四方弁１４を経由して第１の熱交換器１１に流入する。この冷媒は、熱交換器１１にて空気中に熱を放出した後に、減圧機１５を経由して第２の熱交換器１２の１次側に流入する。そして、この冷媒は、２次側の熱搬送媒体から熱を吸収し、当該熱搬送媒体を冷却した後に、熱交換器１２から流出し、四方弁１４を経由して圧縮機１３の吸込側に還流する。
【００３６】
次に、情報処理部３２には、操作部３５にて設定された温度設定値に関する信号と、温度センサ３６の信号とが伝達される。情報処理部３２及び主演算部３１は、これらの信号を読込み、電源部３３を介して圧縮機１３、減圧機１５、熱搬送ポンプ２３の動作を制御し、最適温度が維持されるように自動制御を行う。これにより、ユーザは、外気の温度に影響されることなく、自分の体温を快適な温度に保持することができる。
【００３７】
一方、熱搬送手段２０においては、熱搬送ポンプ２３の動作により、熱搬送媒体が第２の熱交換器１２の２次側流路、熱搬送チューブ２１，２２及びチューブ固定具２４を循環する。そして、暖房運転時には、熱交換器１２により加熱された熱搬送媒体が熱搬送チューブ２２からチューブ接続口２８に流入し、この熱搬送媒体は、搬送路切換弁２７ａ，２７ｂの切換位置に応じて暖房用搬送路２５を流通する。そして、この熱搬送媒体は、チューブ接続口２９から熱搬送チューブ２１に流出し、熱交換器１２に還流する。
【００３８】
また、冷房運転時には、熱交換器１２により冷却された熱搬送媒体が熱搬送チューブ２２からチューブ接続口２８に流入し、この熱搬送媒体は、搬送路切換弁２７ａ，２７ｂの切換位置に応じて冷房用搬送路２６を流通する。そして、この熱搬送媒体は、チューブ接続口２９から熱搬送チューブ２１に流出し、熱交換器１２に還流する。
【００３９】
このように、熱搬送媒体は、暖房及び冷房の何れにおいても、チューブ固定具２４の背面下部中央に配置されたチューブ接続口２８から流入し、チューブ接続口２９から流出する。但し、熱搬送媒体は、チューブ固定具２４の内部において、暖房時に暖房用搬送路２５を流通し、冷房時に冷房用搬送路２６を流通する。このように、実施の形態では、ユーザがチューブ固定具２４を装着した状態において、暖房時には、暖房用搬送路２５を流れる温かい熱搬送媒体により人体の暖房好適部位を温めることができる。また、冷房時には、冷房用搬送路２６を流れる冷たい熱搬送媒体により人体の冷房好適部位を冷やすことができる。
【００４０】
以上詳述した通り、本実施の形態によれば、温度調整手段１０は、四方弁１４を制御して冷媒の循環方向を切換えることにより、単一の冷媒回路にて冷媒の加熱及び冷却を行うことができる。そして、暖房時には、暖房用搬送路２５を用いて人体の暖房好適部位を効率よく温めることができる。また、冷房時には、冷房用搬送路２６を用いて冷房好適部位を効率よく冷やすことができる。これにより、暖房用の機構と冷房用の機構の共通部分を増やし、体温調節装置１を小型化することができる。そして、冷房と暖房の両方を効率よく行うことができる。従って、ユーザは、どのような温度環境でも、快適性を維持することができ、高い利便性を実現することができる。
【００４１】
また、本実施の形態では、チューブ固定具２４を人体に装着し、暖房用搬送路２５と冷房用搬送路２６を個別に配置している。これにより、暖房と冷房の両方において、それぞれ動作に適した部位の温度を的確に調整することができ、当該温度の調整を速やかに行うことができる。また、本実施の形態では、温度センサ３６によりチューブ固定具２４の内部で人体の表面温度及び内部体温を検出し、検出結果に基いて熱交換器１２の作動状態、即ち、熱交換器１２の加熱及び冷房の能力を制御するようにしている。これにより、チューブ固定具２４内が人体の発熱により不快になるのを抑制し、例えばチューブ固定具２４を装着した状態で激しい運動を行う場合でも、ユーザに対して快適な環境を安定的に提供することができる。
【００４２】
また、人体においては、暖房時と冷却時とで体温調整に適した部位が異なる傾向がある。一例を挙げると、腹部については、温めるのは体に良いとされるが、冷やすと体に悪影響を与える可能性がある。この現象は、例えば内蔵の部位、血管の位置等に起因するものである。これに対し、本実施の形態では、暖房時に暖房用搬送路２５を用いて人体の暖房好適部位を温め、冷房時に冷房用搬送路２６を用いて冷房好適部位を冷やすようにしたので、暖房及び冷房の何れにおいても、人体の適切な部位で温度調整を行うことができる。
【００４３】
なお、前記実施の形態１において、温度調整手段１０と、熱搬送ポンプ２３と、熱搬送チューブ２１，２２の一部とは、図１中に仮想線で示すケーシング４０に収納する構成としてもよい。ケーシング４０は、例えばショルダーバッグ、リュックサック等の形態を有するもので、人により容易に持ち運びが可能な可搬手段に相当している。これにより、ユーザは、体温調節装置１を持ち運びながら容易に移動することができ、体温調節装置１の適用範囲を広げることができる。
【００４４】
なお、ケーシング４０は、必ずしも可搬性である必要はなく、用途に応じて可搬性が重要視されない場合には、ケーシング４０に収納される部分と他の部分とを一体化する構成としてもよい。但し、この場合でも、少なくともチューブ固定具２４は、温度調整手段１０に対して着脱可能な構成とするのが望ましい。温度調整手段１０は、その形態から、人体に装着し続けるには重い場合が多く、一時的に人体から取外す等の措置を可能とした方が汎用性を高めることができる。特に、装着時の可動範囲が狭い工場、調理場等で使用したり、バイク等の乗り物内で使用する場合には、必ずしも人が温度調整手段１０を持ち続ける必要はない。
【００４５】
また、前記実施の形態１では、蓄電部３７としてバッテリ、燃料電池等を例示したが、本発明はこれに限らず、蓄電部は、太陽電池等のように発電機能を有する構成としてもよい。特に、実施の形態１による体温調節装置１は、充電設備が近くに存在しないような様々な環境で使用されることが想定されるので、発電機能を備えているのが好ましい。また、本発明において、蓄電部３７は、必ずしも必須の構成ではなく、例えば自動車、バイク等のバッテリによって代用、兼用することが可能な構成としてもよい。
【符号の説明】
【００４６】
１  体温調節装置
１０  温度調整手段
１１  第１の熱交換器（冷媒回路）
１２  第２の熱交換器（冷媒回路）
１３  圧縮機（冷媒回路）
１４  四方弁（冷媒回路）
１５  減圧機（冷媒回路）
１６ａ，１６ｂ，１６ｃ，１６ｄ，１６ｅ，１６ｆ  配管（冷媒回路）
１７  ファン
２０  熱搬送手段
２１，２２  熱搬送チューブ
２３  熱搬送ポンプ
２４  チューブ固定具（装着部）
２５  暖房用搬送路
２６  冷房用搬送路
２７ａ，２７ｂ  搬送路切換弁（搬送路切換手段）
２８，２９  チューブ接続口
３０  制御部
３１  主演算部
３２  情報処理部
３３  電源部
３４  回路部
３５  操作部（動作選択手段）
３６  温度センサ
３７  蓄電部
４０  ケーシング（可搬手段）
【図１】
2018119256.tif 000003
【図２】
2018119256.tif 000004
【図３】
2018119256.tif 000005
【図４】
2018119256.tif 000006